(57)【要約】  【課題】携帯カイロの発生熱を十分に利用して、身体を安全かつ効果的に温め、さらに身体全体の調子を整える効果が得られる携帯カイロ入れを提供することを目的としている。  【解決手段】携帯カイロを収納するための袋状のカイロ収納部と、カイロ収納部の開口部を覆う蓋部とを備えており、カイロ収納部の人体当接側の面が、無機ゲルマニウムを含有するシート材で形成されている。  【選択図】図２
0003137893.tif 000002
【実用新案登録請求の範囲】
【請求項１】
携帯カイロを収納するための袋状のカイロ収納部と、カイロ収納部の開口部を覆う蓋部とを備えており、
カイロ収納部の人体当接側の面が、無機ゲルマニウムを含有するシート材で形成されていることを特徴とする携帯カイロ入れ。
【請求項２】
蓋部に、香料含有材料を収納するための香料収納部が設けられていることを特徴とする請求項1記載の携帯カイロ入れ。
【請求項３】
蓋部の端部をカイロ収納部に係止するための係止具が設けられていることを特徴とする請求項１または２記載の携帯カイロ入れ。
【考案の詳細な説明】
【技術分野】
【０００１】
本考案は、無機ゲルマニウムと香料の特性を生かした携帯カイロ入れに関するものである。
【背景技術】
【０００２】
従来の携帯カイロ入れには、皮膚に密着するシート状からなる無機ゲルマニウムの特性を利用し、なお香料も入り、下着にじかに装着できるデザイン性の高い商品はなかった。また、携帯カイロは、低温やけどが気になるものであった。
【考案の開示】
【考案が解決しようとする課題】
【０００３】
ゲルマニウムには、有機・無機の2種類があり、どちらも健康に役立つといわれている。今回利用する無機ゲルマニウムは、生物の体に流れる微弱な生体電流を整えることで知られている。ストレスや疲労などで電子バランスが崩れ、プラスの電子が増えることによって体は不調を感じる。肩こりや腰痛、関節炎などの不調の原因は細胞のプラス電子により引き起こされると考えられている。
ゲルマニウムは、熱によりマイナス負荷の電子を発する。その温度はおよそ32℃である。金属元素は、皮膚に密着させることにより、「電子浸透圧」という金属元素の持つ電子が体内に吸収されるという性質がある。この性質により、ゲルマニウムを皮膚に密着させることで、プラスに傾き不調になった身体の電流を整えることができる。その結果、身体の痛み、特に慢性的な痛みを和らげ、血流をよくし、副交感神経が活性化して、リラックス効果が得られることが、最近よく知られるようになった。
また、ゲルマニウムは、皮膚表面に直接当たるとき、42℃でその良さが最大に生かされるとされている。その利用方法として、有機ゲルマニウムの温浴があるが、無機ゲルマニウムを利用したものは、非常に高価な温熱機などを除き、従来、直接皮膚にぴったり接触するシート状に形成され、簡単に身体を温めるものはなかった。
また、携帯カイロによる低温やけどは、以前から指摘されているもので、脂肪層により治癒が遅れることも知られている。
しかし、最近、身体は、脳以外は温めるのが健康によいといわれている。
また、香料の芳香成分は、精神・身体に働きかけ、ストレスなどを緩和させることが知られているが、皮膚に直接つけると皮膚によくないものもあり、日光などの紫外線により、光毒性のあるものがあることも知られている。
本考案は、上記問題点に鑑みてなされたものであって、携帯カイロの発生熱を十分に利用して、身体を安全かつ効果的に温め、さらに身体全体の調子を整える効果が得られる携帯カイロ入れを提供することにある。
【課題を解決するための手段】
【０００４】
上記課題を解決するために、請求項１記載の考案にかかる携帯カイロ入れは、携帯カイロを収納するための袋状のカイロ収納部と、カイロ収納部の開口部を覆う蓋部とを備えており、カイロ収納部の人体当接側の面が、無機ゲルマニウムを含有するシート材で形成されていることを特徴とする。
【０００５】
請求項２記載の考案は、請求項１記載の考案において、蓋部に、香料含有材料を収納するための香料収納部が設けられていることを特徴とする。
【０００６】
請求項３記載の考案は、請求項１または２記載の考案において、蓋部の端部をカイロ収納部に係止するための係止具が設けられていることを特徴とする。
【考案の効果】
【０００７】
請求項１記載の考案にかかる携帯カイロ入れは、携帯カイロを収納するための袋状のカイロ収納部と、カイロ収納部の開口部を覆う蓋部とを備えており、カイロ収納部の人体当接側の面が、無機ゲルマニウムを含有するシート材で形成されているので、携帯カイロの発熱による低温やけどを防止できることは勿論のこと、多くの携帯カイロは、平均50℃に発熱するため、42℃で最大に生かされる無機ゲルマニウムの以下の優れた特長が得られる。すなわち、無機ゲルマニウムを含有するシート材を皮膚に密着させることにより、身体に流れる微弱な生体電流を整えることができる。その結果、身体の痛みが和らぎ、血流をよくし、さらに、副交感神経が活性化して、リラックス効果を得ることができる。
【０００８】
請求項２記載の考案は、請求項１記載の考案において、蓋部に、香料含有材料を収納するための香料収納部が設けられているので、請求項１記載の考案の効果に加えて、香料収納部に収納された香料含有材料が温められて、香料によるアロマテラピー効果を得ることができる。また、香料含有材料を香料収納部に収納することにより、皮膚刺激の心配がなく、日光などの紫外線による光毒性を回避することもできる。
【０００９】
請求項３記載の考案は、請求項１または２記載の考案において、蓋部の端部をカイロ収納部に係止するための係止具が設けられているので、請求項１または２記載の考案の効果に加えて、ショーツ、ブラジャーなどの下着の幅の狭い部分やベルトなどを挟み込んだ状態で、下着やベルトに携帯カイロ入れを確実に装着することができる。
【考案を実施するための最良の形態】
【００１０】
以下、本考案にかかる携帯カイロ入れの一実施形態について、図面に基づいて詳細に説明する。
本実施形態の携帯カイロ入れ１は、図１、図２に示すように、携帯カイロを収納するための袋状のカイロ収納部２と、カイロ収納部２の開口部２１を覆う蓋部３とを備えている。
カイロ収納部２は、平面視ほぼ矩形状で、無機ゲルマニウムを含有するシート材からなる第1シート片２２と、布材料からなる第2シート片２３とから構成されている。
蓋部３は、カイロ収納部２とほぼ同一形状に形成された布地からなり、図１〜図５に示すように、第2シート片２３側に重なるように、第1シート片２２の開口部２１側の端部２４に縫着されている。蓋部３には、香料含有材料を収納するための香料収納部４が設けられており、蓋部３の表面側、すなわち、第2シート片２３に対向する側と反対側の面に、香料含有材料を出し入れするための開口部５が形成されている。ここで、香料含有材料としては、例えば、香水を含ませた脱脂綿を用いることができる。
さらに、蓋部３の幅方向両端部およびカイロ収納部２の幅方向両端部には、それぞれ着脱可能に係合する雄雌型の係止具６，７が設けられている。
【００１１】
本実施形態の携帯カイロ入れ１の使用手順としては、あらかじめ好みの香料を含有させた香料含有材料を香料収納部４に収納した後、図６，図７に示すように、カイロ収納部２と蓋部３とを重ね合わせた2つ折り形状にして、無機ゲルマニウムを含有する第1シート片２２を皮膚側に配置して、ショーツ・ブラジャー等の下着のベルト部分や、ウエスト部分に装着したベルト等に挟んで、カイロ収納部２と蓋部３とを係止具６，７で係止させる。なお、係止具６，７による係止ができない幅の広いショーツやガードルなどには、カイロ収納部２を皮膚側に配置し、蓋部３を外側に配置することにより、下着に挟み込む。
【００１２】
以上詳述したように、本実施形態の携帯カイロ入れ１によれば、カイロ収納部２における皮膚当接側の面が、無機ゲルマニウムを含有するシート材で構成されているので、携帯カイロの発熱による低温やけどを防止できることは勿論のこと、多くの携帯カイロは、平均50℃に発熱するため、42℃で最大に生かされる無機ゲルマニウムの以下の優れた特長が得られる。すなわち、無機ゲルマニウムを含有するシート材を皮膚に密着させることにより、身体に流れる微弱な生体電流を整えることができる。その結果、身体の痛みが和らぎ、血流をよくし、さらに、副交感神経が活性化して、リラックス効果を得ることができる。
また、本実施形態で用いられた無機ゲルマニウムを含有するシート材は、耐久性が高い上、切断、縫着、貼着が可能で、製造しやすい。また、柔軟性があるので、皮膚に密着しやすい。
また、香料収納部４に収納された香料含有材料が温められて、香料によるアロマテラピー効果を得ることができる。また、香料含有材料を香料収納部４に収納することにより、皮膚刺激の心配がなく、日光などの紫外線による光毒性を回避することもできる。
また、係止具６，７によって、ショーツ、ブラジャーなどの下着の幅の狭い部分やベルトなどを挟み込んだ状態で、下着やベルトに携帯カイロ入れ１を確実に装着することができる。
さらに、複数の携帯カイロ入れ１を装着することにより、例えば、左右の腎臓や両肩などを同時に温めることができる。血、骨、内臓などを温めることにより、健康増進効果が期待できる。
【００１３】
なお、本考案は、上記実施形態に限定されるものではなく、例えば、係止具は、面テープでもよいし、磁石でもよい。
また、蓋部３の表面側には、刺繍やプリントなどによる装飾部を設けてもよい。このようにすれば、下着をファッションとして他人に見せる風潮があるように、携帯カイロ入れ１の装飾部をファッションとして他人に見せることもできる。
【図面の簡単な説明】
【００１４】
【図１】本考案にかかる一実施形態の携帯カイロ入れ１の平面図。
【図２】本考案にかかる一実施形態の携帯カイロ入れ１の底面図。
【図３】図1に示す携帯カイロ入れ１の使用形態における正面図。
【図４】図1に示す携帯カイロ入れ１の使用形態における背面図。
【図５】図1に示す携帯カイロ入れ１の使用形態における斜視図。
【図６】本実施形態の携帯カイロ入れ１を人体の正面側に装着した使用例を示す説明図。
【図７】本実施形態の携帯カイロ入れ１を人体の背面側に装着した使用例を示す説明図。
【符号の説明】
【００１５】
１    携帯カイロ入れ
２    カイロ収納部
２１  開口部
３    蓋部
４    香料収納部
６    係止具
７    係止具
【図１】
0003137893.tif 000003
【図２】
0003137893.tif 000004
【図３】
0003137893.tif 000005
【図４】
0003137893.tif 000006
【図５】
0003137893.tif 000007
【図６】
0003137893.tif 000008
【図７】
0003137893.tif 000009